【手続補正書】
【提出日】平成15年7月28日(2003.7.28)
【手続補正１】
【補正対象書類名】明細書
【補正対象項目名】請求項８
【補正方法】変更
【補正の内容】
【請求項８】
前記第一の周波数帯と前記第二の周波数帯との各中心周波数の差が前記第一の周波数帯と前記第三の周波数帯との各中心周波数の差及び前記第二の周波数帯と前記第三の周波数帯との各中心周波数の差よりも小さくしたことを特徴とする請求項１乃至７のいずれかに記載の３バンド切替型発振器。
【手続補正２】
【補正対象書類名】明細書
【補正対象項目名】００１０
【補正方法】変更
【補正の内容】
【００１０】
以上の動作をまとめると、第一乃至第三の三つの切り替え端４０、４１、５９に対して、それぞれハイレベル又はローレベルの切り替え電圧が入力されるので、その組み合わせによって八通りの切り替えモードができる。図６はそれを示しているが、このうち、モードＮｏ．１とＮｏ．２とは同じ動作内容となり、モードＮｏ．３とＮｏ．４とが同じ動作内容となっているので、それぞれ一方のモードだけが使用される。また、第一の電圧制御発振器３１と第二の電圧制御発振器５１とを同時に使用することはないので、モードＮｏ．７とＮｏ．８とは使用されない。


【手続補正３】
【補正対象書類名】明細書
【補正対象項目名】００２４
【補正方法】変更
【補正の内容】
【００２４】
第一の増幅トランジスタ５ａと第一の発振トランジスタ２とは直列に接続され、第一の増幅トランジスタ５ａのコレクタには電源電圧印加端７から電源電圧Ｖｂが供給され、そのエミッタから第一の発振トランジスタ２のコレクタに電圧が供給される。また、第一の増幅トランジスタ５ａのベースと第一の発振トランジスタ２のベースとにはバイアス電圧を供給するための第一の抵抗回路６が接続される。第一の抵抗回路６は抵抗６ａ、６ｂ、６ｃが直列に接続されて構成され、抵抗６ｃは第一の発振トランジスタ２のベースとグランドとの間に接続され、抵抗６ｂは第一の発振トランジスタ２のベースと第一の増幅トランジスタ５ａのベースとの間に接続される。そして、第一の共振回路３におけるスイッチダイオード３ｄのアノードと抵抗６ａとには切替回路９から電圧が供給される。


【手続補正４】
【補正対象書類名】明細書
【補正対象項目名】００２７
【補正方法】変更
【補正の内容】
【００２７】
第二の増幅トランジスタ１４ａと第二の発振トランジスタ１２とは直列に接続され、第二の増幅トランジスタ１４ａのコレクタに電源電圧Ｖｂが供給され、そのエミッタから第二の発振トランジスタ１２のコレクタに電圧が供給される。また、第二の増幅トランジスタ１４ａのベースと第二の発振トランジスタ１２のベースとにはバイアス電圧を供給するための第二の抵抗回路１５が接続される。第二の抵抗回路１５は抵抗１５ａ、１５ｂ、１５ｃが直列に接続されて構成される。そして、抵抗１５ｃは第二の発振トランジスタ１２のベースとグランドとの間に接続され、抵抗１５ｂは第二の発振トランジスタ１２のベースと第二の増幅トランジスタ１４ａのベースとの間に接続される。そして、抵抗１５ａに切替回路９から電圧が供給される。


【手続補正５】
【補正対象書類名】明細書
【補正対象項目名】００２８
【補正方法】変更
【補正の内容】
【００２８】
切替回路９は電源電圧Ｖｂが入力される電圧入力端子９ａと、ハイレベル又はローレベルの二値の電圧が入力される第一及び第二の切替端子９ｂ、９ｃと、第一の電圧制御発振器１及び第一の増幅器５を動作状態にするための電圧を出力する第一の出力端子９ｄと、第一の電圧制御発振器１の発振周波数帯域を切り替えるための電圧を出力する第二の出力端子９ｅと、第二の電圧制御発振器１１及び第二の増幅器１４動作状態にするための電圧を出力する第三の出力端子９ｆとを有している。また、第一のＮＰＮトランジスタ９ｇと、第二のＮＰＮトランジスタ９ｈと、第一のＰＮＰトランジスタ９ｉとを有している。そして、第一の出力端子９ｄに第一の抵抗回路６の抵抗６ａが接続され、第二の出力端子９ｅにスイッチダイオード３ｄのアノードが接続され、第三の出力端子９ｆに第二の抵抗回路１５の抵抗１５ａが接続される。


【手続補正６】
【補正対象書類名】明細書
【補正対象項目名】００３２
【補正方法】変更
【補正の内容】
【００３２】
以上の動作をまとめると図２のようになる。図２において、ＳＷ１、ＳＷ２はそれぞれ第一の切替端子９ｂ、第二の切替端子９ｃを示し、ＳＷ１、ＳＷ２における（Ｈ）はハイレベルの電圧、（Ｌ）はローレベルの電圧を示す。また、Ｑ１、Ｑ２、Ｑ３はそれぞれ第一のＮＰＮトランジスタ９ｇ、第二のＮＰＮトランジスタ９ｈ、第一のＰＮＰトランジスタ９ｉを示し、（ＯＮ）、（ＯＦＦ）はそれぞれ導通（閉状態）、非導通（開状態）を示す。さらに、ＶＣＯ１、ＶＣＯ２はそれぞれ第一の電圧制御発振器１、第二の電圧制御発振器１１を示し、ＶＣＯ１、ＶＣＯ２における（ＤＣＳ）は第一の電圧制御発振器１が第一の周波数帯で発振していることを示し、（ＰＣＳ）は第二の周波数帯で発振していることを示す。（ＧＳＭ）は第二の電圧制御発振器１１が第三の周波数帯で発振していることを示す。


【手続補正７】
【補正対象書類名】明細書
【補正対象項目名】００３５
【補正方法】変更
【補正の内容】
【００３５】
図３、図４は本発明の３バンド切替型発振器の第二の実施の形態を示し、切替回路９の構成を変更したものである。図３において、第一の抵抗回路６における抵抗６ａは電源電圧印加端７と第一の増幅トランジスタ５ａのベースとの間に接続され、抵抗６ｃは第一の発振トランジスタ２のベースとエミッタとの間に接続される。また、切替回路９は第三のＮＰＮトランジスタ９ｊと、第二のＰＮＰトランジスタ９ｋと、第三のＰＮＰトランジスタ９ｌとを有している。


【手続補正８】
【補正対象書類名】明細書
【補正対象項目名】００４０
【補正方法】変更
【補正の内容】
【００４０】
そして、第三のＮＰＮトランジスタ９ｊがオフであれば、第一の抵抗回路６のみならず第一の発振トランジスタ２のコレクタ、エミッタにも第１の発振トランジスタ２を動作状態とするための電流が流れないので、第一の電圧制御発振器１は不動作状態となる。同様に、少なくとも第二のＰＮＰトランジスタ９ｋがＯＮであるか又は少なくとも第三のＰＮＰトランジスタ９ｌがオフであれば、第二の抵抗回路１５には第二の発振トランジスタ１２を動作状態とするためのバイアス電圧を作る電流が流れないので、第二の電圧制御発振器１１は不動作状態となる。


【手続補正９】
【補正対象書類名】明細書
【補正対象項目名】００４１
【補正方法】変更
【補正の内容】
【００４１】
以上の動作をまとめると図４のようになる。図４における、Ｑ４、Ｑ５、Ｑ６はそれぞれ第三のＮＰＮトランジスタ９ｊ、第二のＰＮＰトランジスタ９ｋ、第三のＰＮＰトランジスタ９ｌを示し、その他の記号は図２のものと同じである。


【手続補正１０】
【補正対象書類名】明細書
【補正対象項目名】００４９
【補正方法】変更
【補正の内容】
【００４９】
また、第一の電圧制御発振器に第一の発振トランジスタを設け、第二の電圧制御発振器に第二の発振トランジスタを設け、第一のスイッチ手段を第一の発振トランジスタのエミッタとグランドとの間に介挿し、第二のスイッチ手段を第二の発振トランジスタのベースにバイアス電圧を供給する第二の抵抗回路に直列に介挿したので、第一及び第二の電圧制御発振器の動作状態、不動作状態への切替が簡単である。


【手続補正１１】
【補正対象書類名】明細書
【補正対象項目名】図３
【補正方法】変更
【補正の内容】
【図３】本発明の３バンド切替型発振器における第二の実施の形態の構成を示す回路図である。


【手続補正１２】
【補正対象書類名】明細書
【補正対象項目名】図５
【補正方法】変更
【補正の内容】
【図５】従来の３バンド切替型発振器の構成を示す回路図である。